(57)【要約】      （修正有）【課題】手間と費用をかけずに作成可能な、高い視覚効果のある半立体広告体を提供する。【解決手段】一定の厚さの台盤１に広告内容を印刷し、印刷した画像・文字２をレーザーカッターなどで切り抜く。切り抜いた画像・文字２は、耐候性のあるスプレー塗料などを使用して表面と側面を塗色し、画像・文字を切り抜いた台盤は、台盤よりも大きめの合板４で裏打ちする。台盤１の切り抜いた部分に、接着剤を混ぜ込んだ粘土等の可塑性体を埋め込み、可塑性体が固まらないうちに、塗色した画像・文字２を、台盤１の元の位置に嵌めこむ。完成した広告体は、台盤１を裏打ちした合板４の空いているスペースにＬ字金具５や螺子６を使用して、塀７や軒下に固定する。また、軽トラックなどの移動体の側面に固定し、より多くの消費者にアピールすることもできる。【選択図】図６
0003185360.tif 000002
【実用新案登録請求の範囲】
【請求項１】
台盤上に形成される半立体広告体であって、
前記台盤に広告内容を印刷する工程と、
印刷した前記広告内容の一部を前記台盤から切抜く工程と、
切抜いた前記広告内容の一部を塗色する工程と、
切抜いて塗色した前記広告物を前記台盤の切抜いた箇所に埋め込む工程と、
を有する方法によって作成されることを特徴とする半立体広告体。
【考案の詳細な説明】
【技術分野】
【０００１】
本考案は、半立体広告体に関する。
【背景技術】
【０００２】
消費者に対する高い視覚効果と告知効果を目的とする半立体広告の作成に当たっては、粘土や石膏を平面上に盛り上げて色を塗るといった伝統的手作業によるもののほか、近年は、より写真に近いリアルな感覚を醸し出すことを狙った「レリーフディスプレイ」と呼ばれる、特殊な印刷方法と窯業的手法を組み合わせたものもある。
【０００３】
また、実際に半立体を作成する代わりに、レンティキュラレンズを広告に重ねて固定し、見る角度によって消費者の視覚に立体感を生じさせるといった疑似立体の手法も一般的である。
【先行技術文献】
【特許文献】
【０００４】
【特許文献１】実用新案登録第３１２４３８４号
【特許文献２】特開２０００−７５４２９号公報
【考案の概要】
【考案が解決しようとする課題】
【０００５】
特許文献１の「軟質立体的広告表示用具」は、シート面上の所定の位置に、石膏等の素材を用いて人物等の半立体を成形するという伝統的手法の範疇に属する半立体広告についての考案である。このような手法による半立体広告は、工芸的技能が要求されることから手間と時間がかかるうえ、絵画的な出来栄えとなることが多く、写真に忠実なリアル感を醸成することは困難である。
【０００６】
上記伝統的手法では実現が困難なリアル感を醸し出すために近年使用されている「レリーフディスプレイ」は、石膏で作成した型と具現物を印刷したシートを重ね合わせたものを窯に入れ、職人が窯の温度を調節しつつ、シートを型にフィットさせながら焼いていくものである。この手法により作成した半立体広告は、前述の伝統的手法によるものより写真に近く、３次元的リアル感があるが、時間、費用及び窯を扱う職人の熟練技術を必要とするため、一般の広告業者にとっては現実的な手段とは言えない。
【０００７】
一方、特許文献２の考案は、実際の半立体を作成する代わりに、レンティキュラレンズを使用して広告を立体的に見せる、疑似立体の広告体に関するものであるが、写真や文字の上にレンティキュラレンズを重ねて作成した広告体は、見る角度によっては反射して全く見えなくなったり、文字等の判別が困難になりやすいため、日光やネオンサインの影響を受けやすい屋外の広告には不向きである。
【０００８】
以上、述べたように、従来技術で作成する半立体広告体は、コストと手間の問題から量産が難しいため、平面広告体と比較して普及が遅れている。
【０００９】
本考案は上述の課題を解決するためになされたものであり、大きな手間と費用をかけずに、また、職人的な作業も必要とすることなく、一般的な広告業者が作成することができ、かつ、高い視覚効果のある半立体広告体を提供するものである。
【課題を解決するための手段】
【００１０】
本考案に関する半立体広告体の作成方法及び利用方法は以下のとおりである。
【００１１】
まず、一定の厚さのある台盤に広告内容を印刷する。次に台盤上に印刷された画像・文字をレーザーカッターなどを使用して切り抜く。
【００１２】
つぎに、切り抜いた画像・文字は、耐候性のあるスプレー塗料などを使用して、印刷がなされている表面と、半立体となった時に浮き出て可視状態となる側面を塗色する。
【００１３】
一方で、画像・文字を切り抜いた台盤は、該台盤よりも大きめの合板で裏打ちし、切り抜いた部分に、接着剤を混ぜ込んだ粘土等の可塑性体を、台盤の厚さの半分から３分の２程度の厚さで均等に埋め込む。
【００１４】
最後に、埋め込んだ可塑性体が固まらないうちに、塗色した画像・文字を、台盤の元の位置に嵌めこむ。
【００１５】
完成した広告体は、台盤を裏打ちした合板の空いているスペースにＬ字金具や螺子を使用して、塀や軒下に固定する。また、軽トラックなどの移動体の側面に固定することもできる。
【考案の効果】
【００１６】
本考案により、低価格の半立体広告体が、大きな手間と職人的な作業を必要とすることなく作成することが可能となる。
【００１７】
また、光線の具合や見る角度に左右されにくい、３次元的リアル感を伴う半立体が引き出す高い視覚効果により、強い宣伝広告効果が期待できるほか、低コストと作業の容易さから量産が可能となるため、現在使用されていない多くの軒下・壁の有効利用が可能となり、しいては、近年増加傾向にある、いわゆるシャッター商店街の活性化にも貢献する。
【図面の簡単な説明】
【００１８】
【図１】広告を印刷した台盤を示す。
【図２】印刷された画像・文字を切り抜いた台盤を示す。
【図３】台盤から切抜いた画像・文字を示す。
【図４】合板で裏打ちした台盤を示す。
【図５】塗色した画像・文字を再び台盤に埋め込み完成した広告体を示す。
【図６】完成した広告体を塀や軒下に固定する方法を示す。
【図７】移動体に固定した広告体の例を示す。
【考案を実施するための形態】
【００１９】
本考案の実施の形態について、以下、図面を参照して説明する。
【００２０】
一定の厚さのある台盤１を用意する。台盤１は安価に入手可能で、加工しやすい成型板を使用することが望ましい。例えばＭＤＦ（Medium Density Fiberboard）と通称されている中密度繊維板を使用する。台盤の厚さは、切り取った部分を再び元の位置に埋め込んだ時に浮き出て、十分な立体感が得られる程度の厚さで、かつ、後述のレーザーカッターでカットが可能である限度内の厚さである１０ｍｍ以上３０ｍｍ以内とすることが望ましい。
【００２１】
図１に示すように、台盤１に広告内容を印刷する。印刷は手軽に木版上に画像・文字２を転写できるスクリーン印刷とするのが適当である。
【００２２】
図２に示すように、台盤上に印刷された画像・文字２をレーザーカッターなどを使用して切り抜く。レーザーカッターを使用する場合には木材のカットに適したCO2レーザーを使用する。このCO2レーザーと前述のＭＤＦとの組み合わせにより、細かい曲線を伴った文字も滑らかに、かつ垂直にエッジを残しながら正確に画像・文字２を切断することができる。
【００２３】
切り抜いた画像・文字２は、耐候性のあるスプレー塗料などを使用して、印刷がなされている表面２１と、半立体となった時に浮き出て可視状態となる側面２２とを塗色する（図３）。塗色に際しては、対象の細かさにより、スプレーと筆を使い分ける。色は原則として印刷された表面の色と同色にするが、彩度を大きくするなど、塗色された部分がより立体的に見えるような工夫をしてもよい。また、光沢をもたせることが立体感を補強する点に考慮し、塗色した上にワニス等の有機溶剤を塗布するのも効果的である。
【００２４】
画像・文字２を切り抜いた台盤１は、切り抜いた部分に埋め込む後述の可塑性体の受部とするため、合板４で裏打ちする（図４）。合板４は、広告体を壁面等に吊下げたり固定するためのＬ字金具や螺子などを使用するスペースを考えて、台盤１よりも大きめのものを使用する。
【００２５】
切抜き部分３に、接着剤を混ぜ込んだ粘土等の可塑性体を、台盤の厚さの半分から３分の２程度の厚さで均等に埋め込む。台盤１の厚さが大きい場合や、浮き出る部分を高くしたいときには、粘土等の可塑性体を埋め込む前に、あらかじめシリコンやスポンジなどの弾性体を適当な厚さに敷き詰めておいてもよい。
【００２６】
埋め込んだ接着剤入りの可塑性体が固まらないうちに、塗色した画像・文字２を、台盤１の元の位置に嵌めこむ（図５）。
【００２７】
完成した半立体広告は、図６に示すように、大きめに裏打ちした合板４にＬ字金具５や螺子６を使用して、塀７や軒下に固定する。また、図７に示すように、軽トラックなどの移動体の側面に固定すれば、広告の効果をさらに高めることができる。
【符号の説明】
【００２８】
１    台盤
２    画像・文字
２１  表面
２２  側面
３    切抜き部分
４    合板
５    Ｌ字金具
６    螺子
７    塀
【図１】
0003185360.tif 000003
【図２】
0003185360.tif 000004
【図３】
0003185360.tif 000005
【図４】
0003185360.tif 000006
【図５】
0003185360.tif 000007
【図６】
0003185360.tif 000008
【図７】
0003185360.tif 000009
【手続補正書】
【提出日】平成25年6月12日(2013.6.12)
【手続補正１】
【補正対象書類名】実用新案登録請求の範囲
【補正対象項目名】請求項１
【補正方法】変更
【補正の内容】
【請求項１】
台盤上に浮出した文字又は図絵を有する半立体広告体であって、
台盤に印刷した文字又は図絵を切抜き塗色し、
前記文字又は図絵を切抜いたことにより作出した前記台盤上の溝底に可塑体を埋設し、
前記埋設した可塑体上に前記塗色した文字又は図絵を再度嵌着する、
ことによって前記文字又は図絵が前記台盤上で浮出して立体感を有することを特徴とする半立体広告体。